(57)【要約】【課題】レール材を用いたボトルディスプレイであって、ボトルの挿脱作業性に優れたディスプレイを得る。また、吊り下げられたボトルの頭部が視認できる視認性に優れたボトルディスプレイを得る。【課題を解決するための手段】ネック部を有するボトルの該ネック部の径に対応する間隔で平行に対向する一対の支持エッジを有し、該一対の支持エッジ間をボトル吊下空間とするレール部材を備えたボトルディスプレイにおいて、レール部材の両端部に、該レール部材を上方に曲折させてボトル挿脱部を形成した。【選択図】  図４
0003119759.tif 000002
【実用新案登録請求の範囲】
【請求項１】
ネック部を有するボトルの該ネック部の径に対応する間隔で平行に対向する一対の支持エッジを有し、該一対の支持エッジ間をボトル吊下空間とするレール部材を備えたボトルディスプレイにおいて、
上記レール部材の両端部に、該レール部材を上方に曲折させてボトル挿脱部を形成したことを特徴とするボトルディスプレイ。
【請求項２】
請求項１記載のボトルディスプレイにおいて、上記レール部材は、上記一対の支持エッジによるボトル吊下空間と、このボトル吊下空間の長手方向の両端部に連なる一対の支持エッジ間隔より大径でボトル頭部を挿入可能なボトル頭部挿入穴とを有する板材からなり、この板材の上記ボトル頭部挿入穴を有する端部が上方に曲折されてボトル挿脱部を構成しているボトルディスプレイ。
【請求項３】
請求項２記載のボトルディスプレイにおいて、上記板材は、上記支持エッジを有する中央板部と、この中央板部の長手方向と直交する方向の両端部に位置する、該中央板部に対して上方に曲折された上方曲折補強板部とを有しているボトルディスプレイ。
【請求項４】
請求項１記載のボトルディスプレイにおいて、上記レール部材は、上記一対の支持エッジを有する開口壁と、この開口壁と平行な底壁と、この開口壁と底壁を接続する一対の接続壁とを有する断面箱形のチャンネル材からなり、このチャンネル材は、その長手方向の両端部において上記底壁と一対の接続壁とが除去されており、上記開口壁が上方に曲折されているボトルディスプレイ。
【考案の詳細な説明】
【技術分野】
【０００１】
本考案は、ペットボトルのようなネック部を有するボトルを列状に陳列するためのボトルディスプレイに関する。
【背景技術】
【０００２】
このようなボトルディスプレイとして従来、レール部材に、ボトルのネック部の径に対応する間隔で平行に対向する一対の支持エッジを設け、該一対の支持エッジ間をボトル吊下空間としたディスプレイが知られている。レール部材としては、箱形断面材を用いるのが一般的であった。
【特許文献１】米国実用新案登録第６．３６０，９０１号公報
【考案の開示】
【考案が解決しようとする課題】
【０００３】
この従来のレール部材によるボトルディスプレイは、ボトルの移動が生じやすいように、傾斜させて配置されているが、その両端部は単に切断されているだけであり、ボトルの挿脱に際しては、ボトルをレール材に対して直交させなければならなかった。しかし、レール材は傾斜しているといってもボトルを保持しなければならないため水平に近く配置せざるを得ない。このため、ボトルは上下方向に向けないと挿脱ができず、挿脱作業性に問題があった。
【０００４】
また、従来用いられている断面箱形のチャンネル材は、その底壁が吊り下げられているボトル頭部を隠してしまうため、ボトルのディプレイ効果が限られていた。
【０００５】
従って本考案は、第一に、レール材を用いたボトルディスプレイであって、ボトルの挿脱作業性に優れたディスプレイを得ることを目的とする。また第二に、断面箱形のチャンネル材を用いることなく、吊り下げられたボトルの頭部が視認できる視認性に優れたボトルディスプレイを得ることを目的とする。
【課題を解決するための手段】
【０００６】
本考案は、一対の互いに平行な支持エッジを有するレール材の長さ方向の両端部を上方に曲折すれば、ボトルの挿脱が容易になるとの着眼に基づいてなされたものである。
すなわち本考案は、ネック部を有するボトルの該ネック部の径に対応する間隔で平行に対向する一対の支持エッジを有し、該一対の支持エッジ間をボトル吊下空間とするレール部材を備えたボトルディスプレイにおいて、レール部材の両端部に、該レール部材を上方に曲折させてボトル挿脱部を形成したことを特徴としている。
【０００７】
レール部材は、陳列状態でボトル頭部が視認できる態様と視認できない態様とが可能である。視認可能な態様は、レール部材を、一対の支持エッジによるボトル吊下空間と、このボトル吊下空間の長手方向の両端部に連なる一対の支持エッジ間隔より大径でボトル頭部を挿入可能なボトル頭部挿入穴とを有する板材から構成し、この板材のボトル頭部挿入穴を有する端部を上方に曲折してボトル挿脱部を構成する。
【０００８】
この板材には、支持エッジを有する中央板部の長手方向と直交する方向の両端部に、該中央板部に対して上方に曲折された上方曲折補強板部を設けることで、強度を上げることができる。
【０００９】
一方、視認できない態様は、レール材を、上記一対の支持エッジを有する開口壁と、この開口壁と平行な底壁と、この開口壁と底壁を接続する一対の接続壁とを有する断面箱形のチャンネル材から構成したものであって、このチャンネル材の底壁と一対の接続壁を長手方向の両端部において切除し、開口壁を上方に曲折してボトル挿脱部を構成する。
【考案の効果】
【００１０】
本考案のボトルディスプレイによれば、ボトルを吊り下げる一対の支持エッジを有するレール部材の両端部に、該レール部材を上方に曲折させてボトル挿脱部を形成したので、ボトルの挿脱作業が容易になる。
【考案を実施するための最良の形態】
【００１１】
図１ないし図５は、本考案によるボトルディスプレイ１０の第一の実施形態を示している。図１、図２に示すように、キャスタ付き基台１１上には２本の角柱からなる垂直ポール１２が立設されており、この２本の垂直ポール１２の間及び両側にはそれぞれ、同一高さ位置に各３個のレール部材２０が高さ位置を異ならせて複数組固定されている。
【００１２】
図３ないし図５は、レール部材２０の単体形状を示している。レール部材２０は、鋼材を打抜加工及び曲げ加工してなるもので、上下左右に線対称な形状をなしており、中央板部２１と、左右の上方曲折補強板部２２とを備えている。中央板部２１は、その長手方向の中央部に、平行な一対の支持エッジ２３によって画成されたボトル吊下空間（ボトル移動空間）２４を備え、このボトル吊下空間２４の両端部に、ボトル吊下空間２４の幅（一対の支持エッジ２３の距離）より大径のボトル頭部挿入穴２５を備えている。中央板部２１は、ボトル吊下空間２４の端部及びボトル頭部挿入穴２５が存在する部分において上方に曲折されており、この曲折部分がボトル挿脱部２６を構成する。ボトル挿脱部２６の板厚平面と直交する方向Ｘ（図２）は、ボトル吊下空間２４を有する部分の板厚平面に対する角度αが９０゜未満で斜め上方に向いている。中央板部２１の左右の上方曲折補強板部２２は、支持エッジ２３と平行な曲折線２２Ｌ（図５）に沿って上方にボトル吊下空間２４を有する部分の板厚平面に対して直交させて曲折したものである。
【００１３】
以上のレール部材２０は、一端部が他端部より低く（高く）なるように、同一高さ位置に３個が一組で整列させて配置され、中央のレール部材２０の左右の上方曲折補強板部２２は２本の垂直ポール１２の間に溶接され、左右のレール部材２０の一方の上方曲折補強板部２２は各垂直ポール１２の一側に溶接して固定されている。
【００１４】
本ボトルディスプレイ１０に陳列するペットボトルＰＢは、頭部（キャップ部）頭部Ｈの直下に、頭部Ｈより小径のネック部Ｎを有するもので、レール部材２０のボトル頭部挿入穴２５の径は、頭部Ｈより大径である。またボトル吊下空間２４の幅（一対の支持エッジ２３の距離）は、頭部Ｈの径より小さく、ネック部Ｎの径より若干大きい。
【００１５】
上記構成の本ボトルディスプレイ１０は、通常の使用態様では、傾斜しているレール部材２０の低い方が前方になるように設置する。そして、レール部材２０の両端部のボトル挿脱部２６のうち、高い方（後方）のボトル頭部挿入穴２５からペットボトルＰＢの頭部Ｈを挿入する。ボトル挿脱部２６はボトル吊下空間２４に対して上方に曲折されているため、図３に示すように、ペットボトルＰＢを横にした状態で挿入することができ、挿入作業が容易である。頭部Ｈをボトル頭部挿入穴２５に挿入後は頭部Ｈを突出させたまま姿勢を上下方向に変えながらボトル吊下空間２４側に移動させ、そのネック部Ｎを一対の支持エッジ２３の間に保持する。一対の支持エッジ２３の間に保持したペットボトルＰＢは、前方に移動させ、同様の要領でボトル吊下空間２４内に吊り下げ可能なだけペットボトルＰＢを支持する。最前方のペットボトルＰＢは、その頭部Ｈがボトル挿脱部２６の中央板部２１の曲折部に当接し、脱落することがない。なお、例えば最上部のレール部材２０には、既製のマグネットボードスタンド３０（図１、図２）を付して陳列効果を高めることができる。
【００１６】
このように陳列されたペットボトルＰＢは、その頭部Ｈをレール部材２０の上から目視することができる。また中央板部２１の左右の両側に上方曲折補強板部２２が存在するため、多数のペットボトルＰＢを吊り下げるのに十分な支持強度を与えることができる。また、この実施形態は、ペットボトルＰＢの頭部Ｈが中央板部２１の上方に突出し頭部Ｈと干渉する部材がないため、大きい頭部のボトルの陳列にも用いることができる。
【００１７】
陳列されたペットボトルＰＢを取り出す際には、最前方のペットボトルＰＢを持ち、底部を前方に傾けながら頭部Ｈをボトル頭部挿入穴２５に位置させて取り出すことができる。ペットボトルＰＢの取出及び補充は、以下同様に行うことができる。
【００１８】
以上の実施態様は、陳列ペットボトルＰＢの頭部Ｈを上から目視でき、陳列効果が高い。一方、図６ないし図８の実施形態は、レール材２０Ｃとして伝統的な箱形チャンネル材を用いたボトルディスプレイに本考案を適用した実施形態を示している。箱形断面のレール材２０Ｃは、一対の支持エッジ２３（及びボトル吊下空間２４）を有する開口壁２７と、この開口壁２７と平行な底壁２８と、この開口壁２７と底壁２８を接続する一対の接続壁２９とを有している。そして、このレール材２０Ｃは、その長手方向の両端部において底壁２８と一対の接続壁２９とが除去（切除）されており、底壁２８を上に向けた状態において、底壁２８と接続壁２９の除去部分の開口壁２７が上方に曲折されたボトル挿脱部２６を構成している。この実施形態では、一対の支持エッジ２３を構成する壁面は、箱形断面のレール材２０Ｃによって構成されているため、ボトル頭部挿脱穴は不要であり、一対の支持エッジ２３は平行のまま、端部に開いている。
【００１９】
この実施形態では、陳列状態でペットボトルＰＢの頭部Ｈは底壁２８により遮られるため目視できないが、第一の実施形態と同様に、ボトル挿脱部２６はレール材２０Ｃの開口壁２７の両端部を上方に曲折させて構成しているため、ペットボトルＰＢを横方向に向けて挿脱することができ、その挿脱作業が容易である。
【００２０】
図６ないし図８以上の実施形態では、レール材２０Ｃの支持態様を示していないが、本考案はその支持態様を問わない。図１ないし図５のレール材２０の支持態様についても同様である。また、以上の実施形態では、陳列ボトルをペットボトルＰＢとしたが、他のネック部を有するボトルの陳列にも本考案は適用できる。
【図面の簡単な説明】
【００２１】
【図１】本考案によるボトルディスプレイの一実施形態を示す正面図である。
【図２】同側面図である。
【図３】単一のレール部材とボトルの挿入状況を示す斜視図である。
【図４】同陳列状態を示す斜視図である。
【図５】単一のレール部材の展開図である。
【図６】本考案によるボトルディスプレイの別の実施形態を示す、レール部材単体の斜視図である。
【図７】同正面図である。
【図８】図６のVIII-VIII線に沿う断面図である。
【符号の説明】
【００２２】
１０  ボトルディスプレイ
１１  キャスタ付き基台
１２  垂直ポール
２０  レール部材
２０Ｃ  レール部材（箱形断面）
２１  中央板部
２２  上方曲折補強板部
２３  支持エッジ
２４  ボトル吊下空間
２５  ボトル頭部挿入穴
２６  ボトル挿脱部
２７  開口壁
２８  底壁
２９  接続壁
ＰＢ  ペットボトル
Ｈ  頭部
Ｎ  ネック部
【図１】
0003119759.tif 000003
【図２】
0003119759.tif 000004
【図３】
0003119759.tif 000005
【図４】
0003119759.tif 000006
【図５】
0003119759.tif 000007
【図６】
0003119759.tif 000008
【図７】
0003119759.tif 000009
【図８】
0003119759.tif 000010